(57)【要約】【課題】反射光のノイズを抑制して被検知対象の誤検知を防止しかつ小型化する。【解決手段】接眼検知部は、被検知対象に検知光を照射する投光部３０２ａと、被検知対象で検知光が反射した反射光を受光する受光部３０２ｂとを有し、窓部材３０１は検知光および反射光が透過し投光部の出射面の前方でかつ受光部の入射面の前方に配置される。外装部材２１１は窓部材と接眼検知部との間に配置され、表示装置は検知光の出射方向に表示部２１０ａを備え、外装部材には検知光が通過する投光側開口３０２と反射光が通過する受光側開口３０４と、投光側開口と受光側開口との間で検知光および反射光を遮る遮光部３０５とが形成され、受光部は投光部よりも表示部の外側に配置される。【選択図】図２
2020005028.tif 000002
【特許請求の範囲】
【請求項１】
被検知対象が所定の距離以下に接近したか否かを検知する検知手段と、タッチパネルとを備え、少なくとも撮像によって得られた画像が表示される表示装置と、を有する撮像装置であって、
前記検知手段は、前記被検知対象に検知光を照射する投光手段と、前記被検知対象で前記検知光が反射した反射光を受光する受光手段と、を有しており、
前記検知光および前記反射光が透過し、前記投光手段の出射面の前方でかつ前記受光手段の入射面の前方に配置された窓部材と、
前記窓部材と前記検知手段との間に配置された外装部材と、を有し、
前記表示装置は前記投光手段による前記検知光の出射方向に表示部を備えており、
前記外装部材には前記検知光が通過する投光側開口と、前記受光手段に入射する前記反射光が通過する受光側開口と、前記投光側開口と前記受光側開口との間で前記検知光および前記反射光を遮る遮光部とが形成され、
前記受光手段は前記投光手段よりも前記表示部の外側に配置されていることを特徴とする撮像装置。
【請求項２】
前記窓部材には前記被検知対象に面する窓外観面が規定されており、
前記遮光部には前記窓外観面で内面反射した内面反射光が到達する内面反射到達部が規定され、
前記投光側開口の一端部である第１の投光開口端部と前記内面反射到達部との距離は、前記受光側開口の一端部である受光開口端部と前記第１の投光開口端部との距離よりも長いことを特徴とする請求項１に記載の撮像装置。
【請求項３】
前記第１の投光開口端部は前記受光側開口に最も近くかつ前記窓部材の側に位置する端部であり、
前記受光開口端部は前記投光側開口に最も近くかつ前記窓部材の側に位置する端部であることを特徴とする請求項２に記載の撮像装置。
【請求項４】
前記内面反射到達部には、前記投光手段において前記受光側開口に最も遠い端部である第１の投光端部から出射された前記検知光が前記第１の投光開口端部の近傍を通過して前記窓外観面で内面反射した内面反射光が到達することを特徴とする請求項３に記載の撮像装置。
【請求項５】
前記窓外観面には、前記投光側開口の他端部である第２の投光開口端部の近傍を通過した検知光が通過する窓部材光線出射部が規定されており、
前記表示部の面に交差する方向に延伸した水平面には、前記第２の投光開口端部の近傍および前記窓部材光線出射部を通過した検知光が通過する表示部上端水平面が規定され、
前記検知手段によって前記被検知対象が検知可能な最長距離の面を検知可能面とした際、前記投光手段から前記表示部上端水平面までの水平方向の距離を、前記投光手段から前記検知可能面までの距離よりも長くしたことを特徴とする請求項４に記載の撮像装置。
【請求項６】
前記第２の投光開口端部は前記受光側開口に最も遠くかつ前記窓部材の側に位置する端部であり、
前記表示部上端水平面は、前記投光側開口に最も近くかつ前記表示部の上端部を通る面であり、
前記窓部材光線出射部は、前記投光手段において前記受光側開口に最も近い端部である第２の投光端部から出射された前記検知光が通過し、
表示部上端水平面には、前記第２の投光端部から出射され前記第２の投光開口端部の近傍および前記窓部材光線出射部を通過した前記検知光が通過する表示部上端水平面通過部が規定されていることを特徴とする請求項５に記載の撮像装置。
【請求項７】
前記投光側開口には、前記窓部材に面する第１の投光側開口面と前記検知手段に面する第２の投光側開口面とが規定され、
前記受光側開口には、前記窓部材に面する第１の受光側開口面と前記検知手段に面する第２の受光側開口面とが規定されており、
前記投光側開口の中心線と前記受光側開口の中心線とを通る断面において、前記投光側開口および前記受光側開口の内側面の切断線はそれぞれ前記中心線に対して傾きを有し、
第１の投光側開口面の切断線は第２の投光側開口面の切断線よりも短く、第１の受光側開口面の切断線は第２の投光側開口面の切断線よりも短いことを特徴とする請求項４に記載の撮像装置。
【請求項８】
前記窓部材には、前記検知手段に面した窓内観面が備えられ、
前記窓内観面は前記窓外観面に対して傾きを有しており、
前記第２の投光開口端部の近傍を通過した前記検知光は前記表示部上端水平面と交わらないことを特徴とする請求項５に記載の撮像装置。
【請求項９】
前記検知手段はファインダユニットに配置されており、
前記ファインダユニットは前記外装部材に位置決めされていることを特徴とする請求項１〜８のいずれか１項に記載の撮像装置。
【請求項１０】
前記検知手段において前記検知光を出射し前記反射光を受光する方向の面は前記外装部材に圧接されることを特徴とする請求項１〜９のいずれか１項に記載の撮像装置。
【発明の詳細な説明】
【技術分野】
【０００１】
本発明は、撮像装置に関し、特に、撮影者の接眼を検知する撮像装置に関する。
【背景技術】
【０００２】
一般に、デジタルカメラなどの撮像装置において、ボディ背面にタッチパネルを有する背面画像表示部が配置され、当該背面画像表示部の上側（上端部側）に電子ビューファインダが配置されたものが知られている。そして、それら背面画像表示部および電子ビューファインダには、撮影の際に画像が表示されるとともに、各種設定を行うための設定画面が表示される。
【０００３】
電子ビューファインダを用いて撮影を行う際には、撮影者は電子ビューファインダの接眼部を覗き込んで撮影を行う。このため、撮影者の顔が背面画像表示部に極めて近くなる。撮影者が接眼部を覗き込んでいる状態で、背面画像表示部が点灯状態にあると、背面画像表示部からの光が目に入って撮影者には電子ビューファインダに表示された画像が見え辛くなって撮影の妨げとなってしまう。
【０００４】
さらには、背面画像表示部にはタッチパネルが備えられているので、撮影者が接眼部を覗き込んだ際、顔の一部が背面画像表示部に接触して誤動作を起こす虞がある。
【０００５】
このため、撮影者の顔が電子ビューファインダに接近したことを検知して当該検知結果に応じて背面画像表示部の点灯を制御するようにした撮像装置がある。例えば、近接検知センサーを接眼部の近傍に配置して、近接検知センサーによる接眼検知に応じて背面画像表示部の消灯制御および電子ビューファインダの表示の切り替え制御を行うようにしたものがある（特許文献１）。
【０００６】
特許文献１においは、近接検知センサーは投光素子（赤外ＬＥＤ）を備えており、赤外ＬＥＤから赤外光を照射して、撮影者の顔で反射した赤外光を受光素子（フォトダイオード）で受光して近接検知を行う。そして、近接検知センサーの前面側には赤外光を透過可能な窓部材を配置して近接検知センサーを保護している。
【０００７】
ところで、電子ビューファインダに備えられた表示モニタに画像を表示する際には、表示モニタの特性によって所定の立ち上がり時間を要する。このため、近接検知センサーが撮影者の顔を検知してから背面画像表示部を消灯し、電子ビューファインダを点灯するまでには若干のタイムラグが生じる。
【０００８】
例えば、ファインダ光学系におけるアイポイントの距離を検知距離として電子ビューファインダの点灯動作を開始する場合、撮影者が接眼部に顔を近づけているにも拘わらず、電子ビューファインダの表示が行われないことがある。この場合、撮影者は違和感を覚えることになる。
【０００９】
よって、撮影者が接眼部に顔を近づけた際に、電子ビューファインダを点灯状態とするためには、アイポイントよりも長い距離を検知距離とする必要がある。このため、接眼検知に応じて背面画像表示部の消灯制御および電子ビューファインダの表示の切り替え制御を行う場合には、近接検知センサーは数十ミリオーダーの検知性能を備える必要がある。
【００１０】
ところが、近接検知センサーの検知精度が高いと、受光感度が高いことに起因して顔からの反射光のみではなく、他の反射光も受光検知してしまい誤検知が発生する虞がある。
【００１１】
このような誤検知を防止するため、例えば、投光素子の一部をマスク部材で覆って投光素子からの光の一部を遮光するようにしたものがある（特許文献２）。これによって、窓部材で反射した反射光が受光素子で受光されることを防止して誤検知を抑制している。
【００１２】
さらには、近接検知センサーの前方に配置された窓部材として、前方に立ち上る側面と当該側面よりも窓部材の中心側に位置する中心側面とを有する窓部材を用いるようにしたものがある（特許文献３）。そして、投光素子からの光が中心側面に入射すると、全反射することなく外部に出射される結果、マスク部材を用いることなく窓部材内部における内面反射を防止するようにしている。
【先行技術文献】
【特許文献】
【００１３】
【特許文献１】特開平１１−３５４８３２号公報
【特許文献２】特開２０１６−１０３６８４号公報
【特許文献３】特開２０１７−６８９９９号公報
【発明の概要】
【発明が解決しようとする課題】
【００１４】
ところが、上述の特許文献２においては、投光素子からの光の一部を遮光するマスク部材が必要となるので、部品点数が増加してコストアップとなる。加えて、マスク部材を近接検知センサーに密着して固定保持するために付勢部が必要となり、当該付勢部は近接検知センサーを側面から付勢する突起部を有している。よって、マスク部材は付勢部の分だけ近接検知センサーよりも大きくなってしまう。窓部材などはマスク部材を避ける必要があるので、撮像装置のボディサイズが大きくなり、デザイン上の美観を損ねることにもなる。
【００１５】
また、特許文献３においては、窓部材の中心側面に入射した光はそのまま外部に出射されるので、背面画像表示部に備えられたタッチパネルを操作する際に誤検知が生じることがある。
【００１６】
そこで、本発明の目的は、被検知対象の誤検知を防止してかつ小型化することができる撮像装置を提供することにある。
【課題を解決するための手段】
【００１７】
上記の目的を達成するため、本発明による撮像装置は、被検知対象が所定の距離以下に接近したか否かを検知する検知手段と、タッチパネルとを備え、少なくとも撮像によって得られた画像が表示される表示装置と、を有する撮像装置であって、前記検知手段は、前記被検知対象に検知光を照射する投光手段と、前記被検知対象で前記検知光が反射した反射光を受光する受光手段と、を有しており、前記検知光および前記反射光が透過し、前記投光手段の出射面の前方でかつ前記受光手段の入射面の前方に配置された窓部材と、前記窓部材と前記検知手段との間に配置された外装部材と、を有し、前記表示装置は前記投光手段による前記検知光の出射方向に表示部を備えており、前記外装部材には前記検知光が通過する投光側開口と、前記受光手段に入射する前記反射光が通過する受光側開口と、前記投光側開口と前記受光側開口との間で前記検知光および前記反射光を遮る遮光部とが形成され、前記受光手段は前記投光手段よりも前記表示部の外側に配置されていることを特徴とする。
【発明の効果】
【００１８】
本発明によれば、反射光によるノイズを抑えて被検知対象の誤検知を防止しかつ小型化することができる。
【図面の簡単な説明】
【００１９】
【図１】本発明の第１の実施形態による撮像装置の一例についてその構成を示すブロック図である。
【図２】図１に示すカメラの外観を説明するための図である。
【図３】図２に示すＡ−Ａ線に沿った断面を示す図である。
【図４】本発明の第２の実施形態によるカメラにおいて接眼検知部の要部を示す断面図である。
【図５】本発明の第３の実施形態によるカメラにおいて接眼検知部の要部を示す断面図である。
【図６】本発明の第４の実施形態によるカメラにおいて接眼検知部の要部を示す断面図である。
【図７】本発明の第５の実施形態によるカメラにおいて接眼検知部の要部を示す図である。
【図８】従来の撮像装置における接眼検知を説明するための断面図である。
【発明を実施するための形態】
【００２０】
以下に、本発明の実施の形態による撮像装置の一例について図面を参照して説明する。
【００２１】
ここでは、本発明の実施の形態を説明する前に、従来の撮像装置における接眼検知について概説する。
【００２２】
図８は、従来の撮像装置における接眼検知を説明するための断面図である。
【００２３】
接眼検知部３００は近接検知センサー３０２を有しており、当該近接検知センサー３０２は窓部材３０１によって保護される。窓部材３０１は、例えば、赤外光を透過するアクリル製の板部材である。
【００２４】
図示の例では、窓部材３０１は窓外観面３０１ａおよび窓内観面３０１ｂを有しており、窓外観面３０１ａは検知対象物側の外観面であり、窓内観面３０１ｂは近接検知センサー３０２側の内側面である。近接検知センサー３０２は検知対象物に接触することなく、検知対象物を検知可能なセンサーである。
【００２５】
近接検知センサー３０２は、検知光（赤外光）を出射する投光素子３０２ａと、検知対象物からの反射光および他の赤外光が入射する受光素子３０２ｂとを有している。窓部材３０１は、前述のように、検知光および反射光が透過し、投光素子３０２ａの出射面の前方でかつ受光素子３０２ｂの入射面の前方に配置される。
【００２６】
外装部材８００には、窓部材３０１と略同形状の段付き四角穴８０１が設けられており、窓部材３０１は段付き四角穴８０１に配置されて、接着剤などで段付き四角穴８０１に固着される。
【００２７】
背面画像表示装置２１０は、回転および開閉可能なタッチパネル付きのＴＦＴ液晶装置であり、近接検知センサー３０２の下側に配置される。背面画像表示装置２１０は表示部２１０ａを備えており、当該表示部２１０ａは、画像などの各種情報が表示される画像表示領域であるとともに、タッチ操作可能な領域である。
【００２８】
操作部９００は、背面画像表示装置２１０においてタッチパネル操作を行うためのものであり、例えば、静電誘導方式対応のスタイラス又は撮影者の指である。
【００２９】
図８において、クロストーク光線経路７０１は、投光素子３０２ａからの光が窓部材３０１を通過して外部に出射する経路を示す。また、窓外観面反射光線経路７０１ａは、クロストーク光線経路７０１のうち窓外観面３０１ａで反射した反射光が受光素子３０２ｂに入射する経路を示す。
【００３０】
窓内観面反射光線経路７０１ｂは、クロストーク光線経路７０１のうち窓内観面３０１ｂで反射した反射光が近接検知センサー３０２と窓内観面３０１ｂとの間で乱反射を繰り返して受光素子３０２ｂに入射する経路を示す。そして、操作部誤検知光線経路７０２は、投光素子３０２ａからの光が窓部材３０１を通過して外部に出射し、操作部９００で乱反射した反射光の一部が再び窓部材３０１に入射して受光素子３０２ｂに到達する光線経路を示す。
【００３１】
クロストーク光線経路７０１で示すように、投光素子３０２ａからの光は窓部材３０１を透過して外部に出射される。一方、窓外観面反射光線経路７０１ａおよび窓内観面反射光線経路７０１ｂで示すように、光の一部は窓部材３０１の窓外観面３０１ａ又は窓内観面３０１ｂで反射して受光素子３０２ｂに入射する。その結果、検知対象物が存在しない場合であっても、窓部材３０１からの反射光が受光素子３０２ｂに入射してしまい、近接検知センサー３０２の検知精度が低下する。
【００３２】
操作部誤検知光線経路７０２で示すように、投光素子３０２ａからの光は窓部材３０１を透過して外部に出射し、光の一部は操作部９００に到達すると乱反射を起こす。乱反射した反射光の一部は窓部材３０１に再度入射して受光素子３０２ｂに入射する。その結果、撮影者がタッチパネルを操作すると、近接検知センサー３０２が操作部９００を誤検知して、タッチパネルを操作しているにも拘わらず、表示部２１０ａが消灯してしまうことがある。
【００３３】
［第１の実施形態］
図１は、本発明の第１の実施形態による撮像装置の一例についてその構成を示すブロック図である。
【００３４】
図示の撮像装置は、例えば、デジタル一眼カメラ（以下単にカメラと呼ぶ）であり、レンズユニット１００およびカメラボディ２００を備えている。レンズユニット１００にはレンズ駆動部１０２が備えられており、レンズ駆動部１０２は、例えば、ステッピングモータ（図示せず）などのアクチュエータである。
【００３５】
レンズ駆動部１０２によってレンズ群１０１に備えられたズームレンズの位置を変化させることによって光学像の光学的な倍率を変化させることができる。また、レンズ駆動部１０２によってレンズ群１０１に備えられたフォーカスレンズの位置を変化させることによって被写体にピントを合わせることができる。
【００３６】
レンズ制御回路１０３は、レンズ駆動部１０２を駆動制御してズームレンズおよびフォーカスレンズの位置を制御する。
【００３７】
カメラボディ２００にはメイン制御回路２０１が備えられている。そして、メイン制御回路２０１はカメラ全体の制御を司る。シャッターユニット２０２は、例えば、機械式フォーカルプレーンシャッタであって、図示はしないが先羽根群および後羽根群を走行させる機構を有している。シャッター駆動回路２０３は、メイン制御回路２０１の制御下で撮像の際にはレリーズ信号に応じて所望の露光時間となるようにシャッターユニット２０２を駆動する。
【００３８】
撮像素子２０４には、レンズユニット１００を介して光学像が結像する。撮像素子２０４は光学像に応じた画像信号を生成してメイン制御回路２０１に出力する。
【００３９】
なお、図示の例では、２次元マトリックス状に配列された複数の画素を有しており、これら画素には画像を生成するため撮像画素と像面位相差によるオートフォーカスに用いられ位相差を検出するための位相差検出画素とがある。そして、メイン制御回路２０１は位相差検出画素から出力される画素信号に応じて、例えば、分割領域毎の被写体の像、つまり、瞳分割した像の位相差（像間の距離）を得て、当該位相差に基づいてデフォーカス量を算出する。
【００４０】
メイン制御回路２０１は、ＣＰＵおよびＤＲＡＭなどの電子部品を実装した基板であって各種制御に係る処理を行う。例えば、メイン制御回路２０１はデフォーカス量に応じてレンズ制御回路１０３を制御してレンズ駆動部１０２によってフォーカスレンズを光り軸に沿って駆動させる。
【００４１】
メイン制御回路２０１は、撮像素子２０４から受けた画像信号（アナログ信号）を画像処理部２０５に送る。画像処理部２０５は当該アナログ信号を順次受信してデジタル信号に変換する。そして、画像処理部２０５はデジタル信号に対して、例えば、色補正、デモザイク処理、階調補正（γ補正）、およびＹＣ分離処理などの所定の画像処理を行って画像データを生成する。
【００４２】
電子ビューファインダ（ファインダユニット）２０６は、表示モニタ２０６ａおよびファインダレンズ群２０６ｂを有している。表示モニタ２０６ａには、撮像素子２０４に結像した光学像に対応する画素および撮影の際の設定画面などが表示される。表示モニタ２０６ａに表示された画像はファインダレンズ群２０６ｂによって所定の倍率に拡大される。
【００４３】
外部メモリ２０７は、例えば、ＳＤメモリカード又はコンパクトフラッシュ（登録商標）であり、カメラボディ２００に着脱可能な不揮発性メモリである。画像処理部２０５において生成された画像データは、所定の圧縮方式、例えば、ＪＰＥＧ方式でデータ圧縮されて、メイン制御回路２０１によって外部メモリ２０７に保存される。
【００４４】
電源２０８として、例えば、着脱可能な二次電池、又は家庭用のＡＣ電源などが用いられる。そして、電源２０８はカメラに電力を供給する。操作部材２０９は、撮影条件を設定および変更する際に用いられる各種押しボタンを有している。
【００４５】
図示の背面画像表示装置２１０は、回転および開閉可能なタッチパネル付きのＴＦＴ液晶装置である。背面画像表示装置２１０には、画像処理部２０５で生成された画像データ又は外部メモリ２０７から読み出され伸張処理された画像データに応じた画像が表示される。また、背面画像表示装置２１０には撮影の際の設定画面などが表示される。
【００４６】
撮影者は、背面画像表示装置２１０に表示された画像をタッチ操作することによって合焦位置を選択することができる。なお、動画撮影中においては、撮像素子２０４に結像した光学像が逐次画像処理部２０５によって処理されて、背面画像表示装置２１０に動画像が表示される。
【００４７】
接眼検知部３００は、撮影者の顔（被検知対象）が電子ビューファインダ２０６に所定の距離まで（所定の距離以下に）近づいたことを検知する。接眼検知部３００が撮影者の顔が近づいたこと検知すると、メイン制御回路２０１は表示モニタ２０６ａを点灯制御する。一方、接眼検知部３００が撮影者の顔が離れたことを検知すると、メイン制御回路２０１は背面画像表示装置２１０を点灯制御する。
【００４８】
図２は、図１に示すカメラの外観を説明するための図である。そして、図２（ａ）はカメラボディを背面側から見た斜視図であり、図２（ｂ）は、カメラボディを背面側から分解して示す斜視図である。
【００４９】
図示のように、カメラボディ２００の背面は背面外装部材２１１によって覆われており、背面外装部材２１１には押しボタンなどの操作部材２０９が配置されている。さらに、背面外装部材２１１に形成された凹部には背面画像表示装置２１０が収納されている。なお、図２に示す例では、表示部２１０ａが撮影者側となるように背面画像表示装置２１０が配置される。
【００５０】
電子ビューファインダ２０６は、背面画像表示装置２１０の上側に設けられている。そして、接眼検知部３００に備えられた近接検知センサー３０２が電子ビューファインダ２０６の横に配置される。また、窓部材３０１は、近接検知センサー３０２を保護するため、背面外装部材２１１において撮影者側に配置される。
【００５１】
図３は、図２（ａ）に示すＡ−Ａ線に沿った断面を示す図である。そして、図３（ａ）は窓外観面における反射光の光線経路を含む断面図であり、図３（ｂ）は表示部の方向に進行する検知光の光線経路を含む断面図である。
【００５２】
まず、図３（ａ）を参照して、背面外装部材２１１には、窓部材３０１と略同形状の凹部が形成され、窓部材３０１が背面外装部材２１１の凹部に配置されて、両面テープ（図示せず）によって凹部に固着される。
【００５３】
近接検知センサー３０２は投光部（投光素子）３０２ａおよび受光部（受光素子）３０２ｂを有している。そして、受光部３０２ｂは投光部３０２ａよりも表示部２１０ａの表示面よりも面方向において外側に配置される。
【００５４】
背面外装部材２１１には、投光部３０２ａから出射された検知光が通過する投光側開口３０３が形成されるとともに、受光部３０２ｂに入射する反射光が通過する受光側開口３０４が形成されている。さらに、背面外装部材２１１には、投光側開口３０３と受光側開口３０４とを隔てる遮光部３０５が形成されている。
【００５５】
遮光部３０５は窓部材３０１の窓内観面３０１ｂに当接しており、投光端部３０２ｃは投光部３０２ａにおいて受光部３０２ｂに最も遠くかつ出射方向の端部である。第１の投光側開口端部（第１の投光開口端部）３０３ａは投光側開口３０３において受光側開口３０４に最も近くかつ窓部材３０１側の端部（一端部）である。受光開口端部３０４ａは受光側開口３０４において投光側開口３０３に最も近くかつ窓部材３０１側の端部（他端部）である。
【００５６】
内面反射到達部３０５ａは投光端部３０２ｃから出射した検知光が第１の投光側開口端部３０３ａの近傍を通過し、窓外観面３０１ａで検知光が内面反射して遮光部３０５に到達する位置である。内面反射光線経路４０１は投光端部３０２ｃから出射された検知光が窓部材３０１を通過し、かつ窓部材３０１の窓外観面３０１ａで反射した際の光路を示す。
【００５７】
第１の内面反射光線経路４０１ａは内面反射光線経路４０１のうち窓部材３０１の窓外観面３０１ａで反射した反射光が受光部３０２ｂに向かって進行し、遮光部３０５の表面で反射して窓部材３０１の外部に出射する光線経路を示す。第２の内面反射光線経路４０１ｂは第１の内面反射光線経路４０１ａにおける光が窓外観面３０１ａで再反射して受光部３０２ｂに入射する光線経路を示す。
【００５８】
ここで、内面反射光線経路４０１によって窓部材３０１の内面反射によるクロストークが抑制される理由について説明する。
【００５９】
第１の内面反射光線経路４０１ａで示すように、窓部材３０１の窓外観面３０１ａで反射した反射光の一部は遮光部３０５で反射して外部に出射するので、窓部材３０１内部で一回反射した反射光は受光部３０２ｂには到達しない。
【００６０】
一方、第２の内面反射光線経路４０１ｂで示すように、遮光部３０５で反射した反射光の一部は窓部材３０１の窓外観面３０１ａで再反射を繰り返して受光部３０２ｂに到達する。
【００６１】
ところが、投光部３０２ａからの検知光は物質界面で反射する際に一部拡散するので、反射する都度光強度が弱まる。このため、第２の内面反射光線経路４０１ｂのように、窓部材３０１の内部で複数回反射を繰り返した反射光が受光部３０２ｂに入射したとしても、その光強度は検知できないレベルまで小さくなる。
【００６２】
窓部材３０１の内面反射によるクロストークを抑制するためには、窓部材３０１で一回内面反射した反射光が受光部３０２ｂに入射しないように、遮光部３０５において再反射するように遮光部３０５の幅（高さ）ｗを規定すればよい。つまり、第１の投光側開口端部３０３ａから内面反射到達部３０５ａまでの長さを、遮光部３０５の長さよりも短くすればよい。
【００６３】
いま、遮光部３０５の高さをｗ、投光部３０２ａの高さをｈｉ、窓部材３０１の厚さをｔ、投光側開口３０３および受光側開口３０４の深さｄとする。さらに、投光端部３０２ｃから出射して第１の投光側開口端部３０３ａの近傍で窓部材３０１に入射した後の屈折角をθｒとする。第１の投光側開口端部３０３ａから内面反射光線経路４０１までの長さｈｒは、次の式（１）で表される。
【００６４】
【数１】
2020005028.tif 000003
【００６５】
スネルの法則から、入射角θｉと屈折角θｒの関係は、空気の屈折率をｎａ、窓部材３０１の屈折率をｎｐとすると、次の式（２）で表される。
【００６６】
【数２】
2020005028.tif 000004
【００６７】
また、窓部材３０１の内面反射光が遮光部３０５で再反射するための条件は、次の式（３）で表される。
【００６８】
【数３】
2020005028.tif 000005
【００６９】
遮光部３０５の高さｗが式（３）を満たす場合、窓部材３０１における内面反射によるクロストークが抑制されて、近接検知センサー３０２の検知精度を高めることができる。
【００７０】
続いて、図３（ｂ）を参照して、第２の投光側開口端部３０３ｂは投光側開口３０３において背面画像表示装置２１０にもっとも近くかつ窓部材３０１側の端部である。窓部材光線出射部３０１ｃは操作部反射光線経路４０２において窓部材３０１から外部に出射する点を示す。表示部上端水平面２１０ｂは表示部２１０ａの上端面を表示部２１０ａの面直上（交差する方向）に延伸した面である。
【００７１】
表示部上端水平面通過点（表示部上端水平面通過部）４０２ｂは操作部反射光線経路４０２が表示部上端水平面２１０ｂを通過する点である。検知可能面５００は近接検知センサー３０２が近接検知可能な最長距離の面を示す。背面画像表示装置２１０におけるタッチパネル操作を考慮すると、操作部９００は表示部上端水平面２１０ｂよりも下方に位置する。
【００７２】
操作部反射光線経路４０２は、投光部３０２ａから出射した光が第２の投光側開口端部３０３ｂの近傍を通過して窓部材３０１に入射し、窓部材光線出射部３０１ｃの近傍において外部に向けて出射する光線経路を示す。操作部反射光線経路４０２は投光側開口３０３内部および窓部材３０１で内面反射をしない光において、最も投光部３０２ａに近い位置で表示部上端水平面２１０ｂを通過する光の光線経路である。
【００７３】
第１の操作部反射光線経路４０２ａは、操作部反射光線経路４０２のうち、操作部９００で反射した反射光が受光部３０２ｂに入射する光線経路を示す。
【００７４】
ここで、操作部反射光線経路４０２によってタッチパネル操作時における誤検知が抑制される理由について説明する。
【００７５】
第１の操作手段反射光線経路４０２ａで示すように、投光部３０２ａから出射した検知光が操作部９００で反射する。この場合、反射する位置が検知可能面５００よりも遠ければ、反射光の光強度は弱く受光部３０２ｂに反射光が入射したとしても接眼検知部３００は操作部９００を検知することができない。つまり、表示部上端水平面通過点４０２ｂが検知可能面５００よりも遠ければ、操作部９００の反射光による誤検知を防止することができる。
【００７６】
投光部３０２ａから出射した検知光が第２の投光側開口端部３０３ｂの近傍において窓部材３０１に入射した際の入射角をθｉ、屈折角をθｒとする。また、窓部材３０１の厚さをｔ、投光側開口３０３の深さをｄ、表示部上端水平面２１０ｂから窓部材光線出射部３０１ｃまでの垂直方向の高さをｈｔとする。さらに、投光部３０２ａから表示部上端水平面通過点４０２ｂまでの距離をＬｅ、投光部３０２ａから検知可能面５００までの距離をＬｄとする。次の式（４）で示す条件式が満たされれば、操作部９００における反射光による誤検知を防止することができる。
【００７７】
【数４】
2020005028.tif 000006
【００７８】
このようにして、本発明の第１の実施形態では、マスク部材を追加することなく内面反射によるクロストークを抑制することができる。さらに、かつタッチパネル操作の際の指などの操作部で反射する反射光などのような他の反射光による誤検知を抑制することができる。
【００７９】
［第２の実施形態］
続いて、本発明の第２の実施形態によるカメラの一例について説明する。なお、第２の実施形態によるカメラの構成は図１に示すカメラと同様である。
【００８０】
図４は、本発明の第２の実施形態によるカメラにおいて接眼検知部の要部を示す断面図である。
【００８１】
図４においては、投光部３０２ａの中心線と受光部３０２ｂの中心線とを通る断面が示されている。なお、前述の第１の実施形態と同一の構成要素については同一の参照番号を付す。
【００８２】
投光側開口３０３において、第１の投光側開口切断線（第１の投光側開口面）３０３ｃは投光側開口３０３の窓部材３０１に接する面の切断線を示す。また、第２の投光側開口切断線（第２の投光側開口面）３０３ｄは光側開口３０３の投光部３０２ａに接する面の切断線を示す。
【００８３】
また、受光側開口３０４において、第１の受光側開口切断線（第１の受光側開口面）３０４ｂは受光側開口３０４の窓部材３０１に接する面の切断線を示す。また、第２の受光側開口切断線（第２の受光側開口面）３０４ｃは受光側開口３０４の受光部３０２ｂに接する面の切断線を示す。
【００８４】
第２の投光側開口切断線３０３ｄは第１の投光側開口切断線３０３ｃよりも長く、さらに、投光部３０２ａの投光面の切断線３０２ｅよりも長い。第２の受光側開口切断線３０４ｃは第１の受光側開口切断線３０４ｂよりも長く、さらに、受光部３０２ｂの受光面の切断線３０２ｆよりも長い。
【００８５】
投光側開口３０３の内壁には、第１の投光側開口切断線３０３ｃから第２の投光側開口切断線３０３ｄに向って連続的な勾配が形成されている。受光側開口３０４の内壁には、第１の受光側開口切断線３０４ｂから第２の受光側開口切断線３０４ｃに向って連続的な勾配が形成されている。
【００８６】
投光側開口３０３および受光側開口３０４に対して、投光部３０２ａおよび受光部３０２ｂに組立上の位置ずれが発生すると、投光部３０２ａおよび受光部３０２ｂが遮光部３０５に一部重なって検知性能を低下させる虞がある。このため、第２の投光側開口切断線３０３ｄおよび第２の受光側開口切断線３０４ｃは投光面の切断線３０２ｅおよび受光面の切断線３０２ｆよりも長くする必要がある。
【００８７】
一方、第２の投光側開口切断線３０３ｄおよび第２の受光側開口切断線３０４ｃを長くすると、遮光部３０５の高さｗは小さくなって所定の長さを確保することが困難となる。
【００８８】
このため、前述のように、投光側開口３０３および受光側開口３０４の内壁に勾配を形成すれば、遮光部３０５の高さｗを所定の長さとして、第２の投光側開口切断線３０３ｄおよび第２の受光側開口切断線３０４ｃの長さを長くすることができる。
【００８９】
このように、本発明の第２の実施形態では、投光部３０２ａおよび受光部３０２ｂに組立上の位置ずれが発生したとしても、投光部３０２ａおよび受光部３０２ｂが遮光部３０５に重なることを防止することができる。この結果、接眼検知部３００の検知性能を向上させることができる。
【００９０】
［第３の実施形態］
次に、本発明の第３の実施形態によるカメラの一例について説明する。なお、第３の実施形態によるカメラの構成は図１に示すカメラと同様である。
【００９１】
図５は、本発明の第３の実施形態によるカメラにおいて接眼検知部の要部を示す断面図である。なお、図５において、前述の第１の実施形態と同一の構成要素については同一の参照番号を付す。
【００９２】
図示のように、窓内観勾配面３０１ｄは窓外観面３０１ａに対して傾斜を有しており、ここでは、投光側開口３０３側が薄く受光側開口３０４側に向けって厚くなるように傾斜が形成される。
【００９３】
勾配窓部材通過光線経路４０３は、投光部３０２ａを出射し第２の投光側開口端部３０３ｂの近傍で窓部材３０１に入射して外部に出射される検知光の光線経路を示す。窓部材３０１から外部に出射する光が窓外観面３０１ａに対して垂直に外部に出射する場合、検知光は水平方向に進行するので操作部９００などで反射することなく対象物まで到達する。
【００９４】
投光部３０２ａから出射した検知光が第２の投光側開口端部３０３ｂの近傍で窓部材３０１に入射した際の入射角をθｉ、勾配窓部材通過光線経路４０３と投光部３０２ａの内壁とがなす角度をθｅとする。また、窓外観面３０１ａと窓内観勾配面３０１ｄとがなす角度をθｓ、窓部材３０１に入射する光の屈折角θｒとする。この場合、窓部材３０１から外部に出射する光が窓外観面３０１ａに対して垂直に外部に出射する条件は、次の式（５）で表される。
【００９５】
【数５】
2020005028.tif 000007
【００９６】
屈折角θｒと入射角θｉとの関係は、空気の屈折率をｎａ、窓部材３０１の屈折率をｎｐとすると、前述の式（２）の関係を満たす。また、投光部３０２ａの高さをｈｉ、第２の投光側開口端部３０３ｂを含む投光側開口３０３の深さをｄ１とする。この場合、窓外観面３０１ａと窓内観勾配面３０１ｄとがなす角度θｓの条件は次の式（６）で表される。
【００９７】
【数６】
2020005028.tif 000008
【００９８】
本発明の第３の実施形態では、窓外観面３０１ａと窓内観勾配面３０１ｄとがなす角度θｓが式（６）を満たす場合、操作部９００の反射光による誤検知防止効果を高めることができる。
【００９９】
［第４の実施形態］
次に、本発明の第４の実施形態によるカメラの一例について説明する。なお、第４の実施形態によるカメラの構成は図１に示すカメラと同様である。
【０１００】
図６は、本発明の第４の実施形態によるカメラにおいて接眼検知部の要部を示す断面図である。なお、図６において、前述の第１の実施形態と同一の構成要素については同一の参照番号を付す。
【０１０１】
図示の接眼検知圧接部６００は、高弾性のウレタンで形成されており、電子ビューファインダ２０６に固定されて近接検知センサー３０２を圧接支持する。接眼検知圧接部６００によって、近接検知センサー３０２を背面外装部材２１１に隙間なく当接させることができる。
【０１０２】
その結果、投光部３０２ａから出射した光は窓内観面３０１ｂと遮光部３０５との間で反射を繰り返す。そして、受光部３０２ｂに到達する光線経路が遮断されて窓内観面３０１ｂの反射光におけるクロストークノイズを抑制することができる。
【０１０３】
このように、本発明の第４の実施形態では、接眼検知部３００の検知性能を向上させることができる。
【０１０４】
［第５の実施形態］
続いて、本発明の第５の実施形態によるカメラの一例について説明する。なお、第５の実施形態によるカメラの構成は図１に示すカメラと同様である。
【０１０５】
図７は、本発明の第５の実施形態によるカメラにおいて接眼検知部の要部を示す図である。なお、図７において、前述の第１の実施形態と同一の構成要素については同一の参照番号を付す。
【０１０６】
図７においては、電子ビューファインダ２０６を撮影者側から見た平面が示されており、接続フレキ３００ａは近接検知センサー３０２とメイン制御回路２０１とを電気的に接続するフレキシブルプリント基板である。
【０１０７】
近接検知センサー３０２は、接続フレキ３００ａに対してリフロー実装されている。近接検知センサー位置決めダボ２０６ｃは接続フレキ３００ａを位置決めするためのダボであり、背面外装部材位置決め部材２０６ｄは背面外装部材２１１を位置決めするためのダボである。
【０１０８】
近接検知センサー位置決めダボ２０６ｃと背面外装部材位置決め部材２０６ｄとによって、近接検知センサー３０２と背面外装部材２１１とが位置決めされる。これによって、製造上のばらつきに起因する近接検知センサー３０２と背面外装部材２１１の位置ずれを低減することができる。
【０１０９】
よって、投光部３０２ａおよび受光手部３０２ｂは投光側開口３０３および受光側開口３０４に対してそれぞれ位置ずれが低減されることになって、投光側開口３０３および受光側開口３０４が遮光部３０５と重なることを防止することができる。
【０１１０】
このように、本発明の第５の実施形態では、接眼検知部３００の検知性能を向上させることができる。
【０１１１】
以上、本発明の好ましい実施形態について説明したが、本発明はこれらの実施形態に限定されず、その要旨の範囲内で種々の変形及び変更が可能である。
【符号の説明】
【０１１２】
２１０  背面画像表示装置
２１１  背面外装部材
３００  接眼検知部
３０１  窓部材
３０２  近接検知センサー
３０２ａ  投光部
３０２ｂ  受光部
３０３  投光側開口
３０４  受光側開口
【図１】
2020005028.tif 000009
【図２】
2020005028.tif 000010
【図３】
2020005028.tif 000011
【図４】
2020005028.tif 000012
【図５】
2020005028.tif 000013
【図６】
2020005028.tif 000014
【図７】
2020005028.tif 000015
【図８】
2020005028.tif 000016